(57)【要約】【課題】複数画像の合成画像を作成する際に、各画像の画質を保持し、かつ自然な印象を与える合成画像を作成する。【解決手段】画像処理部７０では、制御部７により入力された第１画像のデータ解析が行われ合成対象領域である主要被写体の画像領域が抽出される。また、第１画像からデフォーカス領域が抽出される。デフォーカス領域とは、主要被写体とその背景との境界付近、つまり主要被写体周辺において主要被写体から所定範囲内の帯状の領域をいう。デフォーカス領域が抽出されると、制御部７により入力された合成対象の第２画像と主要被写体領域の画像とが合成され、さらにデフォーカス領域の画像情報に基づいて画像処理が施されて合成画像が作成される。【選択図】図３
2005228104.tif 000002
【特許請求の範囲】
【請求項１】
合成対象の第１画像及び第２画像を取得する画像取得手段と、
前記取得された第１画像から合成対象領域を抽出する合成対象領域抽出手段と、
前記抽出された合成対象領域に係るデフォーカス領域を前記第１画像から抽出するデフォーカス領域抽出手段と、
前記抽出された合成対象領域、デフォーカス領域及び前記取得された第２画像を用いて合成画像を作成する合成処理手段と、
を備えることを特徴とする画像処理装置。
【請求項２】
前記デフォーカス領域抽出手段は、前記合成対象領域抽出手段により抽出された合成対象領域の周辺において、合成対象領域のエッジ部分から所定範囲内の画像領域をデフォーカス領域として抽出することを特徴とする請求項１に記載の画像処理装置。
【請求項３】
前記デフォーカス領域抽出手段は、前記合成対象領域抽出手段により規定の抽出条件で抽出された合成対象領域と、規定の抽出条件を緩和した抽出条件により前記第１画像から抽出された許容領域との差分をデフォーカス領域として抽出することを特徴とする請求項１に記載の画像処理装置。
【請求項４】
前記デフォーカス領域抽出手段は、前記第１画像から合成対象領域の背景領域を抽出し、当該背景領域及び前記合成対象領域を前記第１画像領域から差し引いて得られる画像領域をデフォーカス領域として抽出することを特徴とする請求項１に記載の画像処理装置。
【請求項５】
前記第１画像において画像領域を指定するための操作手段を備え、
前記デフォーカス領域抽出手段は、前記操作手段を介して指定された画像領域をデフォーカス領域として抽出することを特徴とする請求項１に記載の画像処理装置。
【請求項６】
前記合成処理手段は、前記第２画像上で指定された位置に前記合成対象領域及び前記デフォーカス領域の画像を配置した合成画像を作成することを特徴とする請求項１〜５の何れか一項に記載の画像処理装置。
【請求項７】
前記合成処理手段は、第２画像上で位置が指定されたデフォーカス領域画像に対応する第２画像領域にデフォーカス処理を施し、当該デフォーカス処理された領域により囲まれる第２画像領域に前記合成対象領域画像を配置して合成画像を作成することを特徴とする請求項１〜５の何れか一項に記載の画像処理装置。
【請求項８】
前記デフォーカス処理は、非鮮鋭化処理であり、
前記合成処理手段は、前記デフォーカス領域の周波数特性を算出し、当該算出されたデフォーカス領域における周波数特性に応じて、非鮮鋭化処理による非鮮鋭化の程度を決定することを特徴とする請求項７に記載の画像処理装置。
【請求項９】
前記デフォーカス処理は、前記第２画像と前記デフォーカス領域画像を所定の割合で混合する処理であることを特徴とする請求項７に記載の画像処理装置。
【請求項１０】
合成対象の第１画像及び第２画像を取得する画像取得工程と、
前記取得された第１画像から合成対象領域を抽出する合成対象領域抽出工程と、
前記抽出された合成対象領域に係るデフォーカス領域を前記第１画像から抽出するデフォーカス領域抽出工程と、
前記抽出された合成対象領域、デフォーカス領域及び前記取得された第２画像を用いて合成画像を作成する合成処理工程と、
を含むことを特徴とする画像処理方法。
【請求項１１】
前記デフォーカス領域抽出工程では、前記合成対象領域抽出工程で抽出された合成対象領域の周辺において、合成対象領域のエッジ部分から所定範囲内の画像領域をデフォーカス領域として抽出することを特徴とする請求項１０に記載の画像処理方法。
【請求項１２】
前記デフォーカス領域抽出工程では、前記合成対象領域抽出工程において規定の抽出条件で抽出された合成対象領域と、規定の抽出条件を緩和した抽出条件により前記第１画像から抽出された許容領域との差分をデフォーカス領域として抽出することを特徴とする請求項１０に記載の画像処理方法。
【請求項１３】
前記デフォーカス領域抽出工程では、前記第１画像から合成対象領域の背景領域を抽出し、当該背景領域及び前記合成対象領域を前記第１画像領域から差し引いて得られる画像領域をデフォーカス領域として抽出することを特徴とする請求項１０に記載の画像処理方法。
【請求項１４】
前記デフォーカス領域抽出工程では、操作手段を介して指定された画像領域をデフォーカス領域として抽出することを特徴とする請求項１０に記載の画像処理方法。
【請求項１５】
前記合成処理工程では、前記第２画像上で指定された位置に前記合成対象領域及び前記デフォーカス領域の画像を配置した合成画像を作成することを特徴とする請求項１０〜１４の何れか一項に記載の画像処理方法。
【請求項１６】
前記合成処理工程では、第２画像上で位置が指定されたデフォーカス領域画像に対応する第２画像領域にデフォーカス処理を施し、当該デフォーカス処理された領域により囲まれる第２画像領域に前記合成対象領域画像を配置して合成画像を作成することを特徴とする請求項１０〜１４の何れか一項に記載の画像処理方法。
【請求項１７】
前記デフォーカス処理は、非鮮鋭化処理であり、
前記合成処理工程では、前記デフォーカス領域の周波数特性を算出し、当該算出されたデフォーカス領域における周波数特性に応じて、非鮮鋭化処理による非鮮鋭化の程度を決定することを特徴とする請求項１６に記載の画像処理方法。
【請求項１８】
前記デフォーカス処理は、前記第２画像と前記デフォーカス領域画像を所定の割合で混合する処理であることを特徴とする請求項１６に記載の画像処理方法。
【請求項１９】
コンピュータに、
合成対象の第１画像及び第２画像を取得させる画像取得機能と、
前記取得された第１画像から合成対象領域を抽出する合成対象領域抽出機能と、
前記抽出された合成対象領域に係るデフォーカス領域を前記第１画像から抽出するデフォーカス領域抽出機能と、
前記抽出された合成対象領域、デフォーカス領域及び前記取得された第２画像を用いて合成画像を作成する合成処理機能と、
を実現させるための画像処理プログラム。
【請求項２０】
前記デフォーカス領域抽出機能は、前記合成対象領域抽出機能により抽出された合成対象領域の周辺において、合成対象領域のエッジ部分から所定範囲内の画像領域をデフォーカス領域として抽出することを特徴とする請求項１９に記載の画像処理プログラム。
【請求項２１】
前記デフォーカス領域抽出機能は、前記合成対象領域抽出機能により規定の抽出条件で抽出された合成対象領域と、規定の抽出条件を緩和した抽出条件により前記第１画像から抽出された許容領域との差分をデフォーカス領域として抽出することを特徴とする請求項１９に記載の画像処理プログラム。
【請求項２２】
前記デフォーカス領域抽出機能は、前記第１画像から合成対象領域の背景領域を抽出し、当該背景領域及び前記合成対象領域を前記第１画像領域から差し引いて得られる画像領域をデフォーカス領域として抽出することを特徴とする請求項１９に記載の画像処理プログラム。
【請求項２３】
前記デフォーカス領域抽出機能は、操作手段を介して指定された画像領域をデフォーカス領域として抽出することを特徴とする請求項１９に記載の画像処理プログラム。
【請求項２４】
前記合成処理機能は、前記第２画像上で指定された位置に前記合成対象領域及び前記デフォーカス領域の画像を配置した合成画像を作成することを特徴とする請求項１９〜２３の何れか一項に記載の画像処理プログラム。
【請求項２５】
前記合成処理機能は、第２画像上で位置が指定されたデフォーカス領域画像に対応する第２画像領域にデフォーカス処理を施し、当該デフォーカス処理された領域により囲まれる第２画像領域に前記合成対象領域画像を配置して合成画像を作成することを特徴とする請求項１９〜２３の何れか一項に記載の画像処理プログラム。
【請求項２６】
前記デフォーカス処理は、非鮮鋭化処理であり、
前記合成処理機能は、前記デフォーカス領域の周波数特性を算出し、当該算出されたデフォーカス領域における周波数特性に応じて、非鮮鋭化処理による非鮮鋭化の程度を決定することを特徴とする請求項２５に記載の画像処理プログラム。
【請求項２７】
前記デフォーカス処理は、前記第２画像と前記デフォーカス領域画像を所定の割合で混合する処理であることを特徴とする請求項２５に記載の画像処理プログラム。
【発明の詳細な説明】
【技術分野】
【０００１】
本発明は、複数画像の合成処理を行って合成画像を作成する画像処理装置、画像処理方法及び画像処理プログラムに関する。
【背景技術】
【０００２】
今日、デジタルカメラ等の撮影機器で撮影されたデジタル画像データは、ＣＤ−Ｒ（Compact Disk-Recoderble）、フロッピー（登録商標）ディスク（以下、ＦＤという）、メモリーカード等の各種記録メディアやインターネット経由等で配信され、ＣＲＴ（Cathode Ray Tube）、ＬＣＤ（Liquid Crystal Display）、プラズマディスプレイ等の表示手段に表示出力（ソフトコピー）されたり、電子写真方式のプリンタ、インクジェットプリンタ、サーマルプリンタ等の印刷手段により記録媒体上に印刷出力（ハードコピー）される等、その出力方法は多種多様化している。
【０００３】
また、デジタル画像データを出力する際には、出力するデバイス上でそのデバイス特性に応じて所望の画質が得られるように、階調調整、輝度調整、カラーバランス調整、鮮鋭性強調等の種々の画像処理が行われることが一般的であり、その画像処理技術の発展は著しい。
【０００４】
こうした画像出力方法の多様化、画像処理技術の発達を背景に、近年では一般の個人ユーザが、デジタルカメラ等で撮影したデジタル画像や、銀塩カメラで撮影したフィルム画像をスキャナ等により読み取って取得したデジタル画像に画像処理や画像加工を施し、インターネット上のホームページに掲載したり、ポストカードに印刷に利用したりと、デジタル画像の利用機会が増えてきている。
【０００５】
画像加工処理としては様々なものがあるが、その一つとしては画像中の主要被写体の画像と、他の背景画像とを合成して一つの画像を作成する合成処理が挙げられる。通常、単に画像中から主要被写体の画像領域を切り出して背景画像に貼り付けた場合、主要被写体と背景との一体感がなく、いかにも貼り付けたという不自然な印象を与える。これは、前景（主要被写体を指す）と背景の双方にピントが合った画像を使用しており、奥行き感や立体感が感じられないためである。そこで、従来からこのような不自然さを解消するために様々な画像処理方法が開発されている。
【０００６】
例えば、デフォーカスと呼ばれるぼかし処理もその一つである。これは前景、背景の双方にピントが合っている不自然な画像に対し、背景側の画像をぼかす（デフォーカス）ことにより距離感や奥行き感を出して自然な画像に見せるものである（例えば非特許文献１参照）。また、原画像の一部にぼかし処理を施した非鮮鋭画像を作成し、この非鮮鋭画像とぼかし処理が施されていない原画像とを合成処理することにより、被写界深度が浅いレンズで撮影した画像のように背景がぼけた自然な画像を得ることができる画像処理方法も提案されている（例えば特許文献１、２参照）
【特許文献１】特開平９−１７２６００号公報
【特許文献２】特開平９−１１６７７０号公報
【非特許文献１】「背景合成用デフォーカス装置」電子情報通信学会技術研究報告（林、下田、金次）、ＩＥ８８−１０、pp.６９−７５、１９８８
【発明の開示】
【発明が解決しようとする課題】
【０００７】
最近の研究により、３次元に配置される主要被写体やその背景の構造物を２次元に圧縮して描画するにも関わらず、その画像に違和感が無いのは主要被写体周辺にぼけた領域があり、この領域におけるぼけ感によるものであることがわかった。しかしながら、上記文献１〜３による従来の画像処理方法では、主要被写体と合成された背景との距離感のバランスはとれるが、主要被写体を抽出する際に鮮明な主要被写体領域のみを抽出して背景画像に合成しているため、主要被写体と背景の境界付近の連続性が無く、やはり貼り付けたという不自然な印象が残ってしまう。また、距離感を出すために背景をぼかすと、背景画像の鮮鋭性が失われるため合成画像の用途が限られてしまう。
【０００８】
本発明の課題は、複数画像の合成画像を作成する際に、各画像の画質を保持し、かつ自然な印象を与える合成画像を作成することである。
【課題を解決するための手段】
【０００９】
請求項１に記載の発明は、画像処理装置において、
合成対象の第１画像及び第２画像を取得する画像取得手段と、
前記取得された第１画像から合成対象領域を抽出する合成対象領域抽出手段と、
前記抽出された合成対象領域に係るデフォーカス領域を前記第１画像から抽出するデフォーカス領域抽出手段と、
前記抽出された合成対象領域、デフォーカス領域及び前記取得された第２画像を用いて合成画像を作成する合成処理手段と、
を備えることを特徴とする。
【００１０】
請求項２に記載の発明は、請求項１に記載の画像処理装置において、
前記デフォーカス領域抽出手段は、前記合成対象領域抽出手段により抽出された合成対象領域の周辺において、合成対象領域のエッジ部分から所定範囲内の画像領域をデフォーカス領域として抽出することを特徴とする。
【００１１】
請求項３に記載の発明は、請求項１に記載の画像処理装置において、
前記デフォーカス領域抽出手段は、前記合成対象領域抽出手段により規定の抽出条件で抽出された合成対象領域と、規定の抽出条件を緩和した抽出条件により前記第１画像から抽出された許容領域との差分をデフォーカス領域として抽出することを特徴とする。
【００１２】
請求項４に記載の発明は、請求項１に記載の画像処理装置において、
前記デフォーカス領域抽出手段は、前記第１画像から合成対象領域の背景領域を抽出し、当該背景領域及び前記合成対象領域を前記第１画像領域から差し引いて得られる画像領域をデフォーカス領域として抽出することを特徴とする。
【００１３】
請求項５に記載の発明は、請求項１に記載の画像処理装置において、
前記第１画像において画像領域を指定するための操作手段を備え、
前記デフォーカス領域抽出手段は、前記操作手段を介して指定された画像領域をデフォーカス領域として抽出することを特徴とする。
【００１４】
請求項６に記載の発明は、請求項１〜５の何れか一項に記載の画像処理装置において、
前記合成処理手段は、前記第２画像上で指定された位置に前記合成対象領域及び前記デフォーカス領域の画像を配置した合成画像を作成することを特徴とする。
【００１５】
請求項７に記載の発明は、請求項１〜５の何れか一項に記載の画像処理装置において、
前記合成処理手段は、第２画像上で位置が指定されたデフォーカス領域画像に対応する第２画像領域にデフォーカス処理を施し、当該デフォーカス処理された領域により囲まれる第２画像領域に前記合成対象領域画像を配置して合成画像を作成することを特徴とする。
【００１６】
請求項８に記載の発明は、請求項７に記載の画像処理装置において、
前記デフォーカス処理は、非鮮鋭化処理であり、
前記合成処理手段は、前記デフォーカス領域の周波数特性を算出し、当該算出されたデフォーカス領域における周波数特性に応じて、非鮮鋭化処理による非鮮鋭化の程度を決定することを特徴とする。
【００１７】
請求項９に記載の発明は、請求項７に記載の画像処理装置において
前記デフォーカス処理は、前記第２画像と前記デフォーカス領域画像を所定の割合で混合する処理であることを特徴とする。
【００１８】
請求項１０に記載の発明は、画像処理方法において、
合成対象の第１画像及び第２画像を取得する画像取得工程と、
前記取得された第１画像から合成対象領域を抽出する合成対象領域抽出工程と、
前記抽出された合成対象領域に係るデフォーカス領域を前記第１画像から抽出するデフォーカス領域抽出工程と、
前記抽出された合成対象領域、デフォーカス領域及び前記取得された第２画像を用いて合成画像を作成する合成処理工程と、
を含むことを特徴とする。
【００１９】
請求項１１に記載の発明は、請求項１０に記載の画像処理方法において、
前記デフォーカス領域抽出工程では、前記合成対象領域抽出工程で抽出された合成対象領域の周辺において、合成対象領域のエッジ部分から所定範囲内の画像領域をデフォーカス領域として抽出することを特徴とする。
【００２０】
請求項１２に記載の発明は、請求項１０に記載の画像処理方法において、
前記デフォーカス領域抽出工程では、前記合成対象領域抽出工程において規定の抽出条件で抽出された合成対象領域と、規定の抽出条件を緩和した抽出条件により前記第１画像から抽出された許容領域との差分をデフォーカス領域として抽出することを特徴とする。
【００２１】
請求項１３に記載の発明は、請求項１０に記載の画像処理方法において、
前記デフォーカス領域抽出工程では、前記第１画像から合成対象領域の背景領域を抽出し、当該背景領域及び前記合成対象領域を前記第１画像領域から差し引いて得られる画像領域をデフォーカス領域として抽出することを特徴とする。
【００２２】
請求項１４に記載の発明は、請求項１０に記載の画像処理方法において、
前記デフォーカス領域抽出工程では、操作手段を介して指定された画像領域をデフォーカス領域として抽出することを特徴とする。
【００２３】
請求項１５に記載の発明は、請求項１０〜１４の何れか一項に記載の画像処理方法において、
前記合成処理工程では、前記第２画像上で指定された位置に前記合成対象領域及び前記デフォーカス領域の画像を配置した合成画像を作成することを特徴とする。
【００２４】
請求項１６に記載の発明は、請求項１０〜１４の何れか一項に記載の画像処理方法において、
前記合成処理工程では、第２画像上で位置が指定されたデフォーカス領域画像に対応する第２画像領域にデフォーカス処理を施し、当該デフォーカス処理された領域により囲まれる第２画像領域に前記合成対象領域画像を配置して合成画像を作成することを特徴とする。
【００２５】
請求項１７に記載の発明は、請求項１６に記載の画像処理方法において、
前記デフォーカス処理は、非鮮鋭化処理であり、
前記合成処理工程では、前記デフォーカス領域の周波数特性を算出し、当該算出されたデフォーカス領域における周波数特性に応じて、非鮮鋭化処理による非鮮鋭化の程度を決定することを特徴とする。
【００２６】
請求項１８に記載の発明は、請求項１６に記載の画像処理方法において、
前記デフォーカス処理は、前記第２画像と前記デフォーカス領域画像を所定の割合で混合する処理であることを特徴とする。
【００２７】
請求項１９に記載の発明は、
コンピュータに、
合成対象の第１画像及び第２画像を取得させる画像取得機能と、
前記取得された第１画像から合成対象領域を抽出する合成対象領域抽出機能と、
前記抽出された合成対象領域に係るデフォーカス領域を前記第１画像から抽出するデフォーカス領域抽出機能と、
前記抽出された合成対象領域、デフォーカス領域及び前記取得された第２画像を用いて合成画像を作成する合成処理機能と、
を実現させるための画像処理プログラムであることを特徴とする。
【００２８】
請求項２０に記載の発明は、請求項１９に記載の画像処理プログラムにおいて、
前記デフォーカス領域抽出機能は、前記合成対象領域抽出機能により抽出された合成対象領域の周辺において、合成対象領域のエッジ部分から所定範囲内の画像領域をデフォーカス領域として抽出することを特徴とする。
【００２９】
請求項２１に記載の発明は、請求項１９に記載の画像処理プログラムにおいて、
前記デフォーカス領域抽出機能は、前記合成対象領域抽出機能により規定の抽出条件で抽出された合成対象領域と、規定の抽出条件を緩和した抽出条件により前記第１画像から抽出された許容領域との差分をデフォーカス領域として抽出することを特徴とする。
【００３０】
請求項２２に記載の発明は、請求項１９に記載の画像処理プログラムにおいて、
前記デフォーカス領域抽出機能は、前記第１画像から合成対象領域の背景領域を抽出し、当該背景領域及び前記合成対象領域を前記第１画像領域から差し引いて得られる画像領域をデフォーカス領域として抽出することを特徴とする。
【００３１】
請求項２３に記載の発明は、請求項１９に記載の画像処理プログラムにおいて、
前記デフォーカス領域抽出機能は、操作手段を介して指定された画像領域をデフォーカス領域として抽出することを特徴とする。
【００３２】
請求項２４に記載の発明は、請求項１９〜２３の何れか一項に記載の画像処理プログラムにおいて、
前記合成処理機能は、前記第２画像上で指定された位置に前記合成対象領域及び前記デフォーカス領域の画像を配置した合成画像を作成することを特徴とする。
【００３３】
請求項２５に記載の発明は、請求項１９〜２３の何れか一項に記載の画像処理プログラムにおいて、
前記合成処理機能は、第２画像上で位置が指定されたデフォーカス領域画像に対応する第２画像領域にデフォーカス処理を施し、当該デフォーカス処理された領域により囲まれる第２画像領域に前記合成対象領域画像を配置して合成画像を作成することを特徴とする。
【００３４】
請求項２６に記載の発明は、請求項２５に記載の画像処理プログラムにおいて、
前記デフォーカス処理は、非鮮鋭化処理であり、
前記合成処理機能は、前記デフォーカス領域の周波数特性を算出し、当該算出されたデフォーカス領域における周波数特性に応じて、非鮮鋭化処理による非鮮鋭化の程度を決定することを特徴とする。
【００３５】
請求項２７に記載の発明は、請求項２５に記載の画像処理プログラムにおいて、
前記デフォーカス処理は、前記第２画像と前記デフォーカス領域画像を所定の割合で混合する処理であることを特徴とする。
【発明の効果】
【００３６】
請求項１に記載の発明によれば、合成対象領域に係るデフォーカス領域を用いて合成画像を作成するので、合成画像において合成対象領域周辺に非鮮鋭な領域を作ることができる。従って、合成対象領域とその背景となる第２画像領域との境界部分において連続性が保たれ、自然な印象の合成画像を得ることができる。また、第２画像全体を非鮮鋭にする必要がないので、原画像の画質を保持することができる。
【００３７】
請求項２に記載の発明によれば、デフォーカス領域の抽出方法として、合成対象領域のエッジ部分から所定範囲内の画像領域をデフォーカス領域として抽出する方法を適用することができる。
【００３８】
請求項３に記載の発明によれば、デフォーカス領域の抽出方法として、規定の抽出条件で抽出された合成対象領域と、規定の条件を緩和した抽出条件で抽出された許容領域との差分をデフォーカス領域として抽出する方法を適用することができる。
【００３９】
請求項４に記載の発明によれば、デフォーカス領域の抽出方法として、第１画像領域から背景領域と合成対象領域とを差し引いて得られた画像領域をデフォーカス領域として抽出する方法を適用することができる。
【００４０】
請求項５に記載の発明によれば、デフォーカス領域の抽出方法として、操作手段を介して指定された領域をデフォーカス領域として抽出する方法を適用することができる。
【００４１】
請求項６に記載の発明によれば、合成画像の作成方法として、第２画像において指定された位置に合成対象領域画像及びデフォーカス領域画像を配置する方法を適用することができる。
【００４２】
請求項７に記載の発明によれば、合成画像の作成方法として、デフォーカス領域画像に対応する第２画像領域にデフォーカス処理を施し、当該デフォーカス処理された領域により囲まれる第２画像領域に前記合成対象領域画像を配置する方法を適用することができる。従って、デフォーカス領域が有するぼけ感のみを合成画像に移植することができ、より自然な合成画像を作成することができる。
【００４３】
請求項８に記載の発明によれば、デフォーカス領域の周波数特性に応じてデフォーカス領域画像に対応する第２画像領域に非鮮鋭化処理を施すので、デフォーカス領域が元々有するぼけ感を合成画像において再現することができる。
【００４４】
請求項９に記載の発明によれば、デフォーカス領域画像に対応する第２画像領域において、デフォーカス領域画像と第２画像領域とを混合して合成画像を作成する方法を適用することができる。従って、デフォーカス領域が有するぼけ感を合成画像に移植することができる。
【発明を実施するための最良の形態】
【００４５】
本実施の形態では、プリントラボシステムを想定し、画像記録装置と本発明に係る画像処理装置とが一体化してなるプリント作成システムの例を説明する。
【００４６】
まず、構成を説明する。
図１に、本実施の形態におけるプリント作成システム１の外観を示す。
図１に示すように、プリント作成システム１は、本体部２、マガジン装填部３を備えて構成される。本体部２内には、記録媒体である感光材料に露光する露光処理部４、露光された感光材料を現像処理して乾燥しプリントを作成するプリント作成部５、プリント作成システム１の各部を統括的に制御する制御部７が備えられる。また、本体部２の右側面には、作成されたプリントを排出するトレー６が設けられる。
【００４７】
本体部２の上部には、オペレータのプリント操作用にＣＲＴ８、操作部１１が設けられている。なお、ＣＲＴ８にタッチパネルを併設することとしてもよい。また、ＣＲＴ８の左側には透過原稿読み込み装置であるフィルムスキャナ部９が配置され、右側にフラッドベッドスキャナ等の反射原稿入力装置１０が設置される。
【００４８】
フィルムスキャナ部９や反射原稿入力装置１０から読み込まれる原稿としては写真感光材料があり、この写真感光材料としては、アナログカメラにより撮影したコマ画像が記録されたカラーネガフィルム、カラーリバーサルフィルム、白黒ネガフィルム、白黒リバーサルフィルム等が挙げられる。フィルムスキャナ部９は、これら写真感光材料に記録されたコマ画像を読み取ってデジタル情報に変換し、コマ画像データを得る。また、写真感光材料が印画紙等のカラーペーパーの場合、反射原稿入力装置１０によりコマ画像を読み取ってコマ画像データを得ることができる。
【００４９】
また、本体部２の前面には、画像読込部１４が設けられている。画像読込部１４にはＰＣカード用アダプタ１４ａ、ＦＤ用アダプタ１４ｂが備えられ、ＰＣカード１３ａやＦＤ１３ｂが差し込み可能になっている。ＰＣカード１３ａは、デジタルカメラで撮影して複数のコマ画像データが記憶されたメモリを有する。ＦＤ１３ｂは、例えばデジタルカメラの撮影により得られた複数のコマ画像データを記憶する。
【００５０】
なお、図１では、操作部１１、ＣＲＴ８、フィルムスキャナ部９、反射原稿入力装置１０、画像読込部１４は本体部２と一体的に構成された例を示したが、別体として設けることとしてもよい。
【００５１】
同じく、本体部２の前面には画像書込部１５が設けられている。画像書込部１５にはＦＤ用アダプタ１５ａ、ＭＯ（Magneto Optical disk）用アダプタ１５ｂ、光ディスク用アダプタ１５ｃが備えられ、ＦＤ１６ａ、ＭＯ１６ｂ、ＣＤ１６ｃが差し込み可能になっており、本発明における画像処理方法によって作成された合成画像等の画像データやその他の各種データを各記録メディアに書き込むことができるようになっている。なお、画像読取部１４、画像書込部１５では、上記記録メディアの他、マルチメディアカード、メモリースティック、ＭＤ（Mini Disk）、ＣＤ（Compact Disk）等、その他の記録メディアを適用可能な構成としてもよい。
【００５２】
さらに、制御部７には通信部（図１では図示せず。通信部については後述する）が設けられており、施設内の別のコンピュータやインターネット等を介した遠方のコンピュータから直接、撮影画像のデータとプリント指示情報を受信し、いわゆるネットワークプリンタ装置として機能することも可能である。
また、本発明における画像処理方法によって生成された画像データの一部または全てを、商業的なサービスの一環として、ユーザにインターネット等を介して送付することが可能である。
【００５３】
次に、図２を参照して、プリント作成システム１の機能的構成について説明する。
図２に示すように、プリント作成システム１は、操作部１１からの指示に従って、フィルムスキャナ部９、反射原稿入力装置１０、画像読込部１４により原稿情報の読み込みを行い、本体部２において制御部７による画像データ処理を経た後、露光処理部４、プリント作成部５により各種プリントＰ１、Ｐ２、Ｐ３を作成するものである。
【００５４】
本体部２は、制御部７、露光処理部４、プリント作成部５の他、通信部３２、データ記憶部７１を備える。通信部３２は、ネットワークインターフェイスカードやモデム等の通信用インターフェイスを備えて構成され、通信ネットワーク上の外部機器と相互に情報の送受信を行う。また、データ記憶部７１は、画像データのデータ群とそのプリント指示情報（プリント指示された画像のコマ番号、そのプリントサイズ等の情報）とを記憶し順次蓄積するものである。
【００５５】
以下、図２を参照してプリント作成システム１におけるプリント処理の流れを説明する。
まず、フィルムスキャナ部９、反射原稿入力装置１０、画像読込部１４又は通信部３２により、画像データの入力が行われる。フィルムスキャナ部９の場合、アナログカメラＱ１により撮影されたネガフィルムを現像して得られる現像済のネガフィルムＮからのコマ画像データが入力される。反射原稿入力装置１０の場合、コマ画像を印画紙に焼き付けて現像処理したプリントＰからのコマ画像データが入力される。画像読込部１４の場合、デジタルカメラＱ２の撮影により得られた画像データが各記録メディア１３ａ、１３ｂに記録され、各アダプタ１４ａ、１４ｂに挿入されたこれら記録メディア１３ａ、１３ｂから画像データが読み出されて入力される。通信部３２の場合、インターネット等の通信ネットワークを介して遠方のコンピュータから直接、画像データとプリント等の作業指示情報が受信される。
【００５６】
入力された画像データは制御部７に出力される。そして、制御部７の制御により、入力された画像データがデータ記憶部７１に一旦記憶されるとともに、この画像データがＣＲＴ８に表示出力される。そして、操作部１１を介して入力される指示に応じて画像処理部７０により画像データ処理が行われる。
【００５７】
次いで、画像データをプリントする場合には制御部７において露光用画像データが作成されて露光処理部４に出力される。露光処理部４では、入力された露光用画像データに基づき感光材料に対して露光が行われ、露光処理を終えるとこの感光材料がプリント作成部５に出力される。プリント作成部５では露光された感光材料が現像処理されて乾燥され、プリントＰ１、Ｐ２、Ｐ３が作成される。プリントＰ１はサービスサイズ、ハイビジョンサイズ、パノラマサイズ等のプリントであり、プリントＰ２はＡ４サイズのプリント、プリントＰ３は名刺サイズのプリントである。
【００５８】
一方、画像データを記録メディアに記録する場合には、画像処理部７０から画像処理された画像データが画像書込部１５に出力され、画像書込部１５では入力された画像データが各アダプタ１５ａ〜１５ｃに挿入された記録メディアに書き込まれる。
【００５９】
制御部７は、内部に画像処理部７０を備え、この画像処理部７０により入力された画像データのデータ処理を行う。また、制御部７は、データ記憶部７１に格納された画像合成処理プログラムを読み出し、当該合成画像処理プログラムに従って後述する合成画像処理（図４参照）を画像処理部７０により実行させる。
【００６０】
図３に、画像処理部７０の内部構成を示す。
図３に示すように、画像処理部７０は、画像データ処理部７０ａ、フィルムスキャンデータ処理部７０ｂ、反射原稿スキャンデータ処理部７０ｃ、画像データ書式解読処理部７０ｄ、ＣＲＴ固有処理部７０ｆ、プリンタ固有処理部７０ｇ、画像データ書式作成処理部７０ｈを備えて構成される。
【００６１】
画像データ処理部７０ａは、フィルムスキャンデータ処理部７０ｂ、反射原稿スキャンデータ処理部７０ｃ、画像データ書式解読処理部７０ｄにより入力された画像データに対し、ＣＲＴ８、プリントペーパー等の各種出力メディア上で最適な画質となるように色変換処理、階調変換処理等の画像処理を行い、ＣＲＴ固有処理部７０ｆ、プリンタ固有処理部７０ｇ、画像データ書式作成処理部７０ｈ、データ記憶部７１へ処理済みの画像データを送出する。また、操作部１１を介して入力される指示に従って、画像データに各種画像処理を施す、各種画像処理としては、色変換処理、階調変換処理、トリミング処理、回転処理、拡大縮小処理等が挙げられる。
【００６２】
また、画像データ処理部７０ａは、制御部７の指示に従って後述する画像合成処理を実行する。画像合成処理では、制御部７により入力された第１画像のデータ解析を行って合成対象領域である主要被写体の画像領域を抽出する。抽出方法としては以下に示す公知の手法を適用することができる。
（１）ラインプロセス法により画像の不連続情報を検出し、当該不連続情報に基づいて特定領域を抽出する方法（特開２０００−２０１３５８号公報、特開２０００−２０７５６９号公報）
（２）予め特定領域から求められた画像特徴量を教師データとして構築されたニューラルネットワークに、特定領域の抽出対象である撮影画像から求められた画像特徴量を入力し、得られた出力値に基づいて特定領域を抽出する方法（特開平７−２３４８５６号公報、特開平８−８７５８９号公報）
（３）部分パーツを抽出し、合成して主要被写体領域候補として判定する方法（特開平１１−３１６８４５号公報）
（４）個々に重み係数を設定した複数の抽出方法の結果を、その重み係数により重み付けした結果に基づいて主要被写体に相当する領域である可能性が高い画像領域を抽出する方法（特開平９−１３８７４７０号公報）
なお、ここで挙げた抽出方法はその一例であり、その他の手法であっても適用可能である。例えば、マウス１２や操作部１１を介してオペレータにより指定された主要被写体の画像領域を抽出することとしてもよいし、これを補助手段として上記に挙げた抽出方法と併用することとしてもよい。また、Ｅｘｉｆに代表されるタグ情報に含まれる主要被写体位置情報や主要被写体領域情報等を利用して抽出を行うこととしてもよい。
【００６３】
また、第１画像からデフォーカス領域を抽出する。デフォーカス領域とは、主要被写体とその背景との境界付近、つまり主要被写体周辺において主要被写体から所定範囲内の帯状の領域をいう。デフォーカス領域が抽出されると、制御部７により入力された合成対象の第２画像と主要被写体領域の画像とを合成し、さらに主要被写体領域周辺に抽出されたデフォーカス領域を合成する、或いはデフォーカス領域の画像情報に基づいてデフォーカス処理を施して合成画像を作成する。ここで、デフォーカス処理とは、合成画像において主要被写体領域周辺に非鮮鋭な領域、すなわちデフォーカス領域を作り出す処理をいう。デフォーカス処理としては、例えば鮮鋭度を低下させる非鮮鋭化処理、非鮮鋭な領域の画像情報を所定の割合で混合させる処理等が適用可能である。
【００６４】
フィルムスキャンデータ処理部７０ｂは、フィルムスキャナ部９から入力された画像データに対し、フィルムスキャナ部９固有の校正操作、ネガ原稿の場合のネガポジ反転、ゴミキズ除去、グレーバランス調整、コントラスト調整、粒状ノイズ除去、鮮鋭化強調等の各種画像処理を施す者である。また、フィルムに記録された、フィルムサイズ、ネガポジ種別、主要被写体に関わる情報、撮影条件に関する情報（例えばＡＰＳの記載情報内容）等を取得して、画像データとともに画像データ処理部７０ａに出力する。
【００６５】
反射原稿スキャンデータ処理部７０ｃは、反射原稿入力装置１０により入力された画像データに対し、反射原稿入力装置１０固有の校正操作、ネガ原稿の場合のネガポジ反転、ゴミキズ除去、グレーバランス調整、コントラスト調整、ノイズ除去、鮮鋭化強調等の画像処理を施し、当該画像処理された画像データを画像データ処理部７０ａに出力する。
【００６６】
画像データ書式解読処理部７０ｄは、画像読込部１４又は通信部３２により入力された画像データに対し、必要に応じてそのデータ書式に従い圧縮符号の復元・色信号の表現方法の変換等を行い、画像処理部７０内の演算に適したデータ形式に変換して画像データ処理部７０ａに出力する。また、画像データの例えばＥｘｉｆ規格に代表されるヘッダ情報、タグ情報等から撮影条件等の撮影情報などが取得された場合には、当該撮影情報とともに画像データを画像データ処理部７０ａに出力する。
【００６７】
出力画像の大きさについての指定は操作部１１から入力されるが、この他に通信部３２を介して出力画像の大きさについての指定情報が受信された場合や、画像読込部１４が取得した画像データのヘッダ情報、タグ情報等に出力画像の大きさについての指定情報が含まれる場合には、画像データ書式解読処理部７０ｄが当該指定情報を検出し、画像データ処理部７０ａへ出力する。
【００６８】
ＣＲＴ固有処理部７０ｆは、画像データ処理部７０ｂから受け取った画像データに対して、必要に応じて画素数変更、カラーマッチング、輝度調整等の処理を行い、制御情報等表示が必要な情報と合成した表示用の信号をＣＲＴ８に送出する。
【００６９】
プリンタ固有処理部７０ｆは、画像データ処理部７０ａから入力された画像データに対して、必要に応じてプリンタ固有の校正処理、カラーマッチング、画素数変更等を行って露光用画像データを作成し、露光処理部４に送出する。なお、プリント作成システム１にさらにインクジェットプリンタ等、他の外部プリンタ装置を接続する場合には、接続するプリンタ装置ごとにプリンタ固有処理部７０ｆを設け、各装置特性に応じた適正な校正処理、カラーマッチング、画素数変更等を行うこととする。
【００７０】
画像データ書式作成処理部７０ｈは、画像データ処理部７０ａから入力された画像データに対して、必要に応じてＪＰＥＧ、ＴＩＦＦ、Ｅｘｉｆ等に代表される各種の汎用画像フォーマットへの変換を行い、画像書込部１５や通信部３２に画像データを出力する。
【００７１】
以上のフィルムスキャンデータ処理部７０ａ、反射原稿スキャンデータ処理部７０ｃ、画像データ書式解読処理部７０ｄ、画像データ処理部７０ａ、ＣＲＴ固有処理部７０ｆ、プリンタ固有処理部７０ｇ、画像データ書式作成処理部７０ｈという構成部は、本実施形態の画像処理部７０の機能的構成を示すものであり、必ずしも物理的に独立したデバイスとして実現される必要はなく、例えば単一のＣＰＵにおけるソフトウエア処理における処理工程の区分として実現されてもよい。
【００７２】
次に、本実施の形態における動作を説明する。
図４は、プリント作成システム１により実行される画像合成処理を説明するフローチャートである。以下の説明では、第１画像に含まれる主要被写体の画像領域を合成対象領域として抽出し、この主要被写体の画像領域を、第２の画像である背景画像に合成する例を説明する。
【００７３】
図４に示す画像合成処理では、まず合成対象の第１画像のデータがデータ記憶部７１から取得される（ステップＳ１）。この第１画像は、主要被写体の画像領域（以下、主要被写体領域という）を含む画像である。第１画像が取得されると、当該第１画像から主要被写体の画像領域が抽出される（ステップＳ２）。この抽出された主要被写体領域は、鮮鋭度の高いエッジ部分により囲まれる領域である。
【００７４】
次いで、第１画像からデフォーカス領域が抽出される（ステップＳ３）。デフォーカス領域とは、主要被写体とその背景との境界付近、つまり主要被写体周辺において収容被写体から所定範囲内の帯状の領域をいう。この領域は鮮鋭度が低く、視覚的には主要被写体のエッジ付近がぼやけたように見える。
【００７５】
デフォーカス領域の抽出方法としては、公知公用の手法を適用可能であるが、以下に具体例を示して４つの手法について説明する。
（１）主要被写体領域から所定範囲内の画像領域をデフォーカス領域として抽出する方法。
この方法では、例えば図５に示すように、第１画像ａ１が取得され、この第１画像ａ１から主要被写体領域ａ２が抽出された場合、この主要被写体領域ａ２のエッジ部分から例えば３画素分等、主要被写体領域ａ２を取り囲む所定範囲の領域ａ３がデフォーカス領域として抽出される。
【００７６】
（２）規定の抽出条件で抽出された主要被写体領域と、規定の抽出条件を緩和して抽出した許容領域との差分をデフォーカス領域として抽出する方法。
この方法では、例えば図６に示すように、第１画像ｂ１が取得され、この第１画像ｂ１から規定の抽出条件で主要被写体領域ｂ３が抽出された場合、主要被写体領域ｂ３が抽出された規定の抽出条件を緩和した抽出条件により第１画像ｂから許容領域ｂ２の抽出が行われる。抽出された許容領域ｂ２は、抽出条件が緩和されているため主要被写体領域ｂ３より領域範囲が大きいと推測される。次いで、抽出された共用領域ｂ２と主要被写体領域ｂ３の差分がデフォーカス領域ｂ４として求められる。
【００７７】
例えば、ラインプロセス法は、隣接する画素間における色差を検出し、この色差が所定範囲を超えていれば異なる色情報を有する不連続な境界部分であると判別し、その不連続部分をつないだ領域を同じ色情報を有する特定領域として検出する手法であるが、例えばラインプロセス法による規定の抽出条件が、隣接する画素間における色差が±５％以内であれば同じ色情報を有する領域として判別するという条件であった場合、この既定条件で主要被写体領域を抽出し、さらに色差が±１０％以内であれば同じ色情報を有する領域として判別するというように規定条件を緩和した抽出条件で許容領域を抽出する。
【００７８】
なお、同一の第１画像に対して、異なる抽出方法を適用して主要被写体領域を抽出し、一方の抽出方法で抽出された領域を第１の主要被写体領域、他方を第２の主要被写体領域とすると、この第１の主要被写体領域と第２の主要被写体領域との差分をデフォーカス領域として求めることとしてもよい。
【００７９】
（３）主要被写体領域の背景領域を抽出し、主要被写体領域周辺で背景領域として抽出されなかった領域をデフォーカス領域として抽出する方法。
この方法では、例えば図７に示すように、第１画像ｃ１が取得され、この第１画像ｃ１から例えばラインプロセス法により主要被写体領域ｃ３が抽出された場合、同様にラインプロセス法により第１画像ｃ１から背景領域ｃ２の抽出が行われる。背景領域、主要被写体領域は、鮮鋭度の高い領域のみが抽出されるので、非鮮鋭でかつ背景領域と主要被写体領域の画像が徐々に混ざり合う、主要被写体領域と背景領域との境界部分の領域は、背景領域、主要被写体領域としては抽出されないことが推測される。従って、第１画像ｃ１から背景領域ｃ２及び主要被写体領域ｃ３を差し引いて得られた領域がデフォーカス領域ｃ４として求められる。
【００８０】
（４）オペレータにより指定された領域をデフォーカス領域として抽出する方法。
この方法では、例えば図８に示すように、第１画像ｄ１が取得された場合、この第１画像ｄ１とともに、デフォーカス領域を指定するためのポインタｄ２がＣＲＴ８上に表示される。オペレータにより、マウス１２を介してこのポインタｄ２が操作され、主要被写体領域周辺のデフォーカス領域が指定されると、当該指定された領域がデフォーカス領域として抽出される。なお、全てをオペレータの指定操作にまかせるのではなく、オペレータにより指定された領域情報を補助情報として上記（１）〜（３）に挙げたような方法と組み合わせることとしてもよい。
【００８１】
以上、デフォーカス領域の抽出方法について具体的な例を挙げながら説明したが、その他の抽出方法であってもよく、特に上記手法に限定しない。
【００８２】
このようにしてデフォーカス領域が抽出されると、合成対象の第２画像である背景画像のデータがデータ記憶部７１から取得される（ステップＳ４）。次いで、取得された第２画像に主要被写体領域及びデフォーカス領域が合成された合成画像が作成され（ステップＳ５）、本処理を終了する。
【００８３】
合成方法としては、公知公用の手法を適用可能であるが、以下に具体例を示して３つの手法を説明する。
（１）主要被写体領域及びデフォーカス領域の画像を第２画像上の指定された位置に配置合成する方法。
この方法では、例えば図９に示すように、第２画像ｅ１が取得され、主要被写体領域ｅ２、デフォーカス領域ｅ３が抽出されている場合、第２画像ｅ１上でオペレータにより主要被写体領域ｅ２の配置位置が指定されると、当該指定された位置に主要被写体領域ｅ２が配置され、その主要被写体領域ｅ２の周辺領域にデフォーカス領域ｅ３が配置され、合成画像ｅ４が作成される。
【００８４】
（２）第２画像においてデフォーカス領域に対応する画像領域を非鮮鋭化（デフォーカス処理）した画像に主要被写体領域の画像を合成する方法。
この方法では、例えば図１０に示すように、第２画像ｆ１が取得され、主要被写体領域ｆ２、デフォーカス領域ｆ３が抽出されている場合、まず第２画像ｆ１においてオペレータにより主要被写体領域ｆ２の配置位置が指定されると、当該指定された主要被写体領域ｆ２の位置に応じてデフォーカス領域ｆ３の位置が決定される。次いで、デフォーカス領域ｆ３の位置が決定された第２画像ｆ４において、デフォーカス領域ｆ３の位置に対応する第２画像の画像領域が非鮮鋭化される。次いで、デフォーカス領域ｆ３に対応する領域が非鮮鋭化された背景処理済み画像ｆ５において予め指定された位置に主要被写体領域ｆ２が配置され、合成画像ｆ６が作成される。つまり、デフォーカス領域はそのまま貼り付け合成されるのではなく、その領域情報のみが利用されることとなる。
【００８５】
なお、上記（２）の合成方法において、第１画像から抽出されたデフォーカス領域の周波数特性を求め、このデフォーカス領域の周波数特性と同じ周波数特性となるように、第２画像におけるデフォーカス領域に対応する画像領域を非鮮鋭化することとしてもよい。
【００８６】
（３）第２画像においてデフォーカス領域に対応する画像領域において、第２画像とデフォーカス領域の画像を所定の割合で混合し（デフォーカス処理）、その画像に主要被写体領域画像を合成する方法。
この方法では、図１１に示すように、まず第２画像ｇ１においてオペレータにより主要被写体領域ｇ２の配置位置が指定されると、当該指定された主要被写体領域ｇ２の位置に応じてデフォーカス領域ｇ３の位置が決定される。次いで、デフォーカス領域ｇ３の位置が決定された第２画像ｇ４において、デフォーカス領域ｇ３の位置に対応する第２画像の画像領域の画素情報（ＲＧＢ情報）と、デフォーカス領域ｇ３の画素情報とが１：１で混合された、つまり平均が求められ、その平均値がデフォーカス領域ｇ３に対応する第２画像の画像領域に設定される。次いで、画素情報が１：１の割合で混合された背景処理済み画像ｇ４において予め指定された位置に主要被写体領域ｇ２が配置され、合成画像ｇ５が作成される。
【００８７】
なお、ここでは１：１の混合比で第２画像とデフォーカス領域画像の画素情報が混合された例を説明したが、混合比はこれに限定しない。また、画素情報を混合するのではなく、第２画像とデフォーカス領域画像の画素を所定の割合で混在させることとしてもよい。
【００８８】
以上、合成方法について具体的な例を挙げながら説明したが、その他の合成方法であってもよく、特に上記手法に限定しない。
【００８９】
作成された合成画像のデータはデータ記憶部７１に記憶され、指示に応じて合成画像のプリント作成、或いは記録メディアへのデータ書込等が行われる。
【００９０】
以上のように、本実施形態では、第１画像と第２画像とを用いて合成画像を作成する際に、第１画像から合成対象の主要被写体領域を抽出するとともに、その主要被写体領域周辺のデフォーカス領域をも抽出し、このデフォーカス領域の情報を利用して主要被写体領域画像と第２画像との合成画像を作成するので、焦点が合った鮮鋭度の高い主要被写体領域画像の周辺に非鮮鋭な領域を作ることができ、第１画像が有するぼけ感を移植することができる。
【００９１】
従って、合成画像において主要被写体領域とその背景画像との境界の連続性を保つことができ、自然な印象の合成画像を作成することができる。また、背景画像を必要以上に非鮮鋭化することがないので、合成する原画像の画質を保持することができる。
【００９２】
なお、本実施形態における記述内容は、本発明を適用したプリント作成システムの好適な一例であり、これに限定されるものではない。
【００９３】
例えば、上述した例では、主要被写体の画像と背景画像とを合成する例を説明したが、合成対象領域の画像は特に限定せず、例えば主要被写体の画像と主要被写体の画像を合成することとしてもよいし、画像中の構成物と背景画像とを合成することとしてもよい。
【００９４】
その他、本実施形態におけるプリント作成システムの細部構成及び細部動作に関しても、本発明の趣旨を逸脱することのない範囲で適宜変更可能である。
【図面の簡単な説明】
【００９５】
【図１】本実施の形態におけるプリント作成システム１外観図である。
【図２】プリント作成システム１の機能的構成を示す図である。
【図３】画像処理部７０の機能的構成を示す図である。
【図４】プリント作成システムにより実行される画像合成処理を説明するフローチャートである。
【図５】デフォーカス領域の抽出方法の一例を示す図である。
【図６】デフォーカス領域の抽出方法の一例を示す図である。
【図７】デフォーカス領域の抽出方法の一例を示す図である。
【図８】デフォーカス領域の抽出方法の一例を示す図である。
【図９】合成方法の一例を示す図である。
【図１０】合成方法の一例を示す図である。
【図１１】合成方法の一例を示す図である。
【符号の説明】
【００９６】
１    プリント作成システム
２    本体部
４    露光処理部
５    プリント作成部
７    制御部
７０    画像処理部
７１    データ記憶部
７０ａ    画像データ処理部
８    ＣＲＴ
９    フィルムスキャナ部
１０    反射原稿入力装置
１１    操作部
１２    マウス
１４    画像読込部
１５    画像書込部
３２    通信部
【図１】
2005228104.tif 000003
【図２】
2005228104.tif 000004
【図３】
2005228104.tif 000005
【図４】
2005228104.tif 000006
【図５】
2005228104.tif 000007
【図６】
2005228104.tif 000008
【図７】
2005228104.tif 000009
【図８】
2005228104.tif 000010
【図９】
2005228104.tif 000011
【図１０】
2005228104.tif 000012
【図１１】
2005228104.tif 000013